(57)【要約】【課題】  本考案は、机上のコンピュータのキーボード及びモニターを使用しないときに、容易にキーボードとモニターを一体化して、机上に作業スペースを確保することを可能とする。【解決手段】本考案はコンピュータのキーボード本体１あるいはモニター本体２にキーボード本体１をモニター本体２に引っ掛けるためのフック部分３ａおよび３ｂをキーボード本体１に、あるいはフック部分４ａおよび４ｂをモニター本体２に設けることにより、容易にキーボード本体１とモニター本体２を一体化するものである。【選択図】図５
0003123257.tif 000002
【実用新案登録請求の範囲】
【請求項１】
コンピュータのキーボード本体がコンピュータのモニター本体と一体となることを特徴とするコンピュータのキーボードまたはコンピュータのモニター。
【請求項２】
コンピュータのモニター本体に装着して、コンピュータのキーボード本体を自身の上に引っ掛けて乗せることを特徴とする器具。
【考案の詳細な説明】
【技術分野】
【０００１】  本考案は、コンピュータのキーボードとコンピュータのモニターを一体化するための構造を備えたコンピュータのキーボード及びモニター、またはそれを実現する器具に関するものである。
【背景技術】
【０００２】  机上にコンピュータのキーボードとモニターがあり、コンピュータを使用せず、書類の手書きや資料閲覧、読書等を行う場合、机上のキーボードを別の場所に置いていた。
【考案の開示】
【考案が解決しようとする課題】
【０００３】  机上のコンピュータを使用せず、書類の手書きや資料閲覧、読書等を行う場合、机上のキーボードが邪魔になるためキーボードを他の場所に移していた。しかし、キーボードはコンピュータ本体あるいはモニターとケーブルで接続されている場合が多く、机上の作業スペースからそれほど遠くに置くことはできず、置く場所の確保に苦労していた。
【課題を解決するための手段】
【０００４】  本考案はコンピュータを使用しないときに、キーボード本体をモニター本体と一体化させることにより、問題点を解決している。
【考案の効果】
【０００５】  上述のように、キーボード本体を容易にモニター本体と一体化させることにより、コンピュータのキーボード及びモニターの設置された机上で書類の手書きや資料閲覧、読書等の他の作業を実施するときに机上に容易に広いスペースを確保することができる。
【実施例】
【０００６】  以下、添付図面に従って実施例を説明する。図１は請求項１を実現している実施例である。１はコンピュータのキーボード本体、２はコンピュータのモニター本体、３ａおよび３ｂはキーボード本体に設けたモニター２の上部に引っ掛けるためのフック部分である。３ａおよび３ｂをモニター本体２の上部に引っ掛けることにより、キーボード本体１を使用しないときにキーボード本体１とモニター本体２を一体化することが可能である。【０００７】  図２は図１を側面から見たときの図である。キーボード本体１に設けたフック部分３ａと３ｂをモニター本体２の上部に引っ掛けることで、キーボード本体１とモニター本体２を一体化できる。３ａは図示していない。【０００８】  図３は請求項１を実現するためのキーボード本体１を裏側から見た図である。３ａおよび３ｂのフック部分はこのフック部分を使用しないときには折りたたんでキーボード本体１に収納されるようになっており、キーボード本体１を使用する際の妨げとなることを防いでいる。【０００９】  図４は請求項１の実施例である。１はコンピュータのキーボード本体、２はコンピュータのモニター本体、４ａおよび４ｂはモニター本体２に設けた、キーボード本体１をモニター本体２に引っ掛けて乗せるためのフック部分である。フック部分４ａおよび４ｂの上にキーボード本体１を引っ掛けて乗せることにより、キーボード本体１を使用しないときにキーボード本体１とモニター本体２を一体化することが可能である。【００１０】  図５は図４を側面から見たときの図である。モニター本体２に設けたフック部分４ａと４ｂの上にキーボード本体１を引っ掛けて乗せることで、キーボード本体１とモニター本体２を一体化できる。４ａは図示していない。【００１１】  図６は請求項１を実現するためのモニター本体２の図である。モニター本体２に設けた４ａと４ｂのフック部分はこのフック部分を使用しないときには折りたたんでモニター本体２の前面よりも前に出ないようになり、モニター画面を見るときの視界の妨げとなることを防いでいる。４ａは図示していない。【００１２】  図７は請求項１の実施例である。キーボード本体１とモニター本体２を一体とするための突起部分５ａおよび５ｂをキーボード本体１に設け、突起部分５ａおよび５ｂを挿入するための窪み部分６ａおよび６ｂをモニター本体２に設けることにより、キーボード本体１とモニター本体２を一体化することが可能である。【００１３】  図８は請求項１の実施例である。キーボード本体１とモニター本体２を一体とするための突起部分７ａおよび７ｂをモニター本体２に設け、突起部分７ａおよび７ｂを挿入するための窪み部分８ａおよび８ｂをキーボード本体１に設けることにより、キーボード本体１とモニター本体２を一体化することが可能である。【００１４】  図９は請求項２の実施例である。プラスチックなどで成型された鉤型の二つの器具９ａと９ｂからなり、９ａと９ｂにはそれぞれ接着テープ部分１０ａと１０ｂが付加されており、この接着テープ部分をモニター本体の側面に接着して使用する。１０ｂは図示していない。【００１５】  図１０は請求項２の実施例の器具９ａと９ｂをモニター本体２に前記接着テープ部分により接���させ、器具９ａと９ｂの上にキーボード本体１を引っ掛けて乗せた図である。キーボード本体１を使用しない時は本図１０のように器具９ａと９ｂを使用して、キーボード本体１とモニター本体２を一体化することが可能である。
【図面の簡単な説明】
【００１６】
【図１】請求項１の実施例を正面から見た図である。
【図２】請求項１の実施例を側面から見た図である。
【図３】キーボードに設けたフック部分を折りたたんだ状態の図である。
【図４】請求項１の実施例を正面から見た図である。
【図５】請求項１の実施例を側面から見た図である。
【図６】モニターに設けたフック部分を折りたたんだ状態の図である。
【図７】請求項１の実施例を側面から見たときの断面の図である。
【図８】請求項１の実施例を側面から見たときの断面の図である。
【図９】請求項２の実施例を示した図である。
【図１０】請求項２の実施例の器具をモニター本体に接着させ使用している図である。
【符号の説明】
【００１７】１    キーボード本体
２    モニター本体
３ａ  キーボード本体に設けられたフック部分
３ｂ  キーボード本体に設けられたフック部分
４ａ  モニター本体に設けられたフック部分
４ｂ  モニター本体に設けられたフック部分
５ａ  キーボード本体に設けられた突起部分
５ｂ  キーボード本体に設けられた突起部分
６ａ  モニター本体に設けられた窪み部分
６ｂ  モニター本体に設けられた窪み部分
７ａ  モニター本体に設けられた突起部分
７ｂ  モニター本体に設けられた突起部分
８ａ  キーボード本体に設けられた窪み部分
８ｂ  キーボード本体に設けられた窪み部分
９ａ  請求項２の実施例の器具
９ｂ  請求項２の実施例の器具
１０ａ  接着テープ部分
１０ｂ  接着テープ部分
【図１】
0003123257.tif 000003
【図２】
0003123257.tif 000004
【図３】
0003123257.tif 000005
【図４】
0003123257.tif 000006
【図５】
0003123257.tif 000007
【図６】
0003123257.tif 000008
【図７】
0003123257.tif 000009
【図８】
0003123257.tif 000010
【図９】
0003123257.tif 000011
【図１０】
0003123257.tif 000012
【手続補正書】
【提出日】平成17年12月7日(2005.12.7)
【手続補正１】
【補正対象書類名】実用新案登録請求の範囲
【補正対象項目名】全文
【補正方法】変更
【補正の内容】
【実用新案登録請求の範囲】
【請求項１】
コンピュータのキーボード本体とモニター本体を一体化するための鉤状構造もしくは突起及び窪み構造を備えたこと特徴とするコンピュータのキーボード本体もしくはモニター本体。
【請求項２】
鉤状部分と接着テープ部分を有することを特徴とする器具。この器具をコンピュータのモニター本体の側面に装着し、この器具の上にキーボード本体を乗せることで、モニター本体とキーボード本体を一体化する。
【手続補正書】
【提出日】平成18年4月7日(2006.4.7)
【手続補正１】
【補正対象書類名】実用新案登録請求の範囲
【補正対象項目名】請求項２
【補正方法】変更
【補正の内容】
【請求項２】
コンピュータのキーボードを乗せるための鉤状部と、コンピュータのモニター本体に貼り付けるための接着テープ部分を有することを特徴とする器具。